(57)【要約】【課題】軸方向の耐力を得やすく、高圧充填に耐え、長期間に亘ってガス漏れが生じない構造の高圧容器を提供すること。【解決手段】容器本体１の口金部１１に平行雌ねじ４１及びテーパー雌ねじ５１を形成するとともに、封止部材２に平行雌ねじ４１に螺合する平行雄ねじ４２を形成し、平行雌ねじ４１と平行雄ねじ４２の螺合箇所より内部側にシール部材６を配設し、さらに、テーパー雌ねじ５１に螺合する、封止部材２と別部材で構成した、テーパー雄ねじ５２を形成した軸力付与部３を介して、封止部材２に対して軸方向の力を付与する。【選択図】図１
2018189099.tif 000002
【特許請求の範囲】
【請求項１】
容器本体の口金部に封止部材を螺合することによって、容器本体の開口部を封止するようにした高圧容器において、容器本体の口金部に平行雌ねじ及びテーパー雌ねじを形成するとともに、封止部材に前記平行雌ねじに螺合する平行雄ねじを形成し、該平行雌ねじと平行雄ねじの螺合箇所より内部側にシール部材を配設し、さらに、前記テーパー雌ねじに螺合するテーパー雄ねじを形成した軸力付与部を介して、封止部材に対して軸方向の力を付与するようにしたことを特徴とする高圧容器。
【請求項２】
前記軸力付与部が、封止部材と別部材で構成されてなることを特徴とする請求項１に記載の高圧容器。
【請求項３】
前記軸力付与部が、封止部材と一体に構成されてなることを特徴とする請求項１に記載の高圧容器。
【発明の詳細な説明】
【技術分野】
【０００１】
本発明は、高圧ガスや液化ガス等を充填して、保管するために使用される高圧容器に関し、特に、高圧ガスや液化ガス等を充填後、長期間に亘って再充填を行わずに高圧状態のまま保管する高圧容器に関するものである。
【背景技術】
【０００２】
高圧ガスや液化ガス等を充填する高圧容器はさまざまな分野で使用されているが、例えば、消火剤ガスの技術分野において、充填圧力を６０ＭＰａ又はそれ以上に高めて、ガス充填量を増やすことの要請があり、そのために高圧充填に耐え、例えば、１５年以上の長期間に亘ってガス漏れが生じない構造の高圧容器が必要になっている。
【０００３】
ところで、この種の高圧容器は、容器本体の口金部に、弁機構や封止プラグ等からなる封止部材（本明細書において、「封止部材」という。）を螺合することによって、容器本体の開口部を封止するようにされている。
【０００４】
より具体的には、高圧容器の容器本体の口金部に平行雌ねじを形成するとともに、封止部材に前記平行雌ねじに螺合する平行雄ねじを形成し、さらに、シール部材を配設する構造にしたり（例えば、特許文献１参照。）、高圧容器の容器本体の口金部にテーパー雌ねじを形成するとともに、封止部材に前記テーパー雌ねじに螺合するテーパー雄ねじを形成する構造が採用されている（例えば、特許文献２参照。）。
【０００５】
しかしながら、特許文献１に開示された、平行ねじによる螺合構造は、高圧充填に耐えるための軸方向の耐力を得やすいという利点を有する反面、温度変化や振動によって、弛みが発生しやすいという問題があり、一方、特許文献２に開示された、テーパーねじによる螺合構造は、螺合構造単独でシールができるという利点を有する反面、高圧充填に耐えるための軸方向の耐力を得にくいという問題があった。
【先行技術文献】
【特許文献】
【０００６】
【特許文献１】特開２００３−２７９０００号公報
【特許文献２】特開平７−２６００９６号公報
【発明の概要】
【発明が解決しようとする課題】
【０００７】
本発明は、上記従来の高圧容器の有する問題点に鑑み、軸方向の耐力を得やすく、高圧充填に耐え、長期間に亘ってガス漏れが生じない構造の高圧容器を提供することを第１の目的とする。
【０００８】
また、本発明は、２重のシール構造とすることによって、ガス漏れに対する安全性を向上することができるようにした高圧容器を提供することを第２の目的とする。
【課題を解決するための手段】
【０００９】
上記第１の目的を達成するため、本発明の高圧容器は、容器本体の口金部に封止部材を螺合することによって、容器本体の開口部を封止するようにした高圧容器において、容器本体の口金部に平行雌ねじ及びテーパー雌ねじを形成するとともに、封止部材に前記平行雌ねじに螺合する平行雄ねじを形成し、該平行雌ねじと平行雄ねじの螺合箇所より内部側にシール部材を配設し、さらに、前記テーパー雌ねじに螺合するテーパー雄ねじを形成した軸力付与部を介して、封止部材に対して軸方向の力を付与するようにしたことを特徴とする。
【００１０】
この場合において、前記軸力付与部が、封止部材と別部材で構成されてなるようにすることができる。
【００１１】
また、上記第２の目的を達成するため、本発明の高圧容器は、前記軸力付与部が、封止部材と一体に構成されてなることを特徴とする。
【発明の効果】
【００１２】
本発明の高圧容器によれば、高圧容器の容器本体の口金部に平行雌ねじ及びテーパー雌ねじを形成するとともに、封止部材に前記平行雌ねじに螺合する平行雄ねじを形成し、該平行雌ねじと平行雄ねじの螺合箇所より内部側にシール部材を配設し、さらに、前記テーパー雌ねじに螺合するテーパー雄ねじを形成した軸力付与部を介して、封止部材に対して軸方向の力を付与するようにすることにより、平行ねじによる螺合構造によって、高圧充填に耐えるための軸方向の耐力を得るとともに、軸力付与部のテーパーねじによる螺合構造によって、軸方向の耐力をさらに高め、温度変化や振動による弛みの発生を防止することができる。
【００１３】
また、前記軸力付与部が、封止部材と別部材で構成されてなるようにすることにより、平行ねじによる螺合構造と、テーパーねじによる螺合構造とを、簡易に併用させることができる。
【００１４】
また、前記軸力付与部が、封止部材と一体に構成されてなるようにすることにより、平行ねじによる螺合構造の螺合箇所より内部側に配設したシール部材と、テーパーねじによる螺合構造との２重のシール構造とすることによって、ガス漏れに対する安全性を向上することができる。
【図面の簡単な説明】
【００１５】
【図１】本発明の高圧容器の第１実施例を示す断面図である。
【図２】本発明の高圧容器の第２実施例を示す断面図である。
【図３】本発明の高圧容器の第３実施例を示す断面図である。
【図４】本発明の高圧容器の第４実施例を示す断面図である。
【発明を実施するための形態】
【００１６】
以下、本発明の高圧容器の実施の形態を、図面に基づいて説明する。
【００１７】
図１に、本発明の高圧容器の第１実施例を示す。
この高圧容器は、容器本体１の口金部１１に封止部材２（ここで、封止部材２には、弁機構や封止プラグを適用することができるが、本実施例においては、上部構造を省略した弁機構を適用した例を示す。）を螺合することによって、容器本体１の開口部を封止するようにしたもので、容器本体１の口金部１１に平行雌ねじ４１及びテーパー雌ねじ５１を形成するとともに、封止部材２に平行雌ねじ４１に螺合する平行雄ねじ４２を形成し、平行雌ねじ４１と平行雄ねじ４２の螺合箇所より内部側にシール部材６を配設し、さらに、テーパー雌ねじ５１に螺合する、封止部材２と別部材で構成した、テーパー雄ねじ５２を形成した軸力付与部３を介して、封止部材２に対して軸方向の力を付与するようにしている。
ここで、テーパー雌ねじ５１とテーパー雄ねじ５２からなるテーパーねじのねじ径は、平行雌ねじ４１と平行雄ねじ４２からなる平行ねじのねじ径より大きく設定するようにする。
【００１８】
この場合において、封止部材２と別部材で構成した、テーパー雄ねじ５２を形成した軸力付与部３は、容器本体１の口金部１１に形成したテーパー雌ねじ５１に螺合した状態で、軸力付与部３の端面が、封止部材２に形成した段部に当接することによって、封止部材２に対して軸方向の力を付与するようにしている。
【００１９】
また、平行雄ねじ４２やテーパー雄ねじ５２の表面にシール用テープ等のシール部材やシール剤を施して、平行雌ねじ４１やテーパー雌ねじ５１に螺合するようにすることができる。
【００２０】
また、平行雌ねじ４１と平行雄ねじ４２の螺合箇所より内部側に配設するシール部材６は、例えば、エラストマー製、フッ素樹脂等の合成樹脂製、ステンレススチール等の金属製のＯリングやガスケットを単独で用いたり、バックアップリングと組み合わせて用いる等、従来から汎用されているシール部材（シール構造）を適宜採用することができる。
ここで、シール部材６は、本実施例においては、従来から汎用されているように、封止部材２の周面に配設するようにしているが、図２の本発明の高圧容器の第２実施例（図４の本発明の高圧容器の第４実施例も同様。）に示すように、封止部材２の端面が当接する容器本体１の口金部１１（又は封止部材２の端面側（図示省略））に配設するようにすることもできる。このように、封止部材２の端面と容器本体１の口金部１１とが当接することで隙間が実質的に存在しないか、存在しても極めて小さい箇所にシール部材６を配設することにより、シール部材６に偏った負荷がかかることを防止でき、耐久性等の点で優位性がある。
【００２１】
本実施例の高圧容器によれば、平行雌ねじ４１と平行雄ねじ４２からなる平行ねじによる螺合構造によって、高圧充填に耐えるための軸方向の耐力を得るとともに、軸力付与部３のテーパー雌ねじ５１とテーパー雄ねじ５２からなるテーパーねじによる螺合構造によって、封止部材２に対して軸方向の力を付与することで軸方向の耐力をさらに高め、平行ねじによる螺合構造の温度変化や振動による弛みの発生を防止することができる。
また、軸力付与部３が、封止部材２と別部材で構成されているため、平行雌ねじ４１と平行雄ねじ４２からなる平行ねじによる螺合構造と、テーパー雌ねじ５１とテーパー雄ねじ５２からなるテーパーねじによる螺合構造とを、簡易に併用させることができる。
【００２２】
また、必要に応じて、封止部材２と軸力付与部３の当接部や摺接部に、シール部材６と同様のシール部材（図示省略）を設けることができる。
これにより、シール部材及びテーパー雌ねじ５１とテーパー雄ねじ５２からなるテーパーねじによる螺合構造と、シール部材６との２重のシール構造とすることによって、ガス漏れに対する安全性を向上することができる。
【００２３】
ところで、軸力付与部３は、封止部材２と別部材で構成するほか、図３及び図４の本発明の高圧容器の第３及び第４実施例に示すように、封止部材２と一体（一体構造）で構成するようにすることもできる。
ここで、平行雌ねじ４１と平行雄ねじ４２からなる平行ねじのねじピッチ及び位相と、テーパー雌ねじ５１とテーパー雄ねじ５２からなるテーパーねじのねじピッチ及び位相とは、同一ねじピッチ及び位相となるようにする。
これにより、平行雌ねじ４１と平行雄ねじ４２からなる平行ねじによる螺合構造の螺合箇所より内部側に配設したシール部材６と、テーパー雌ねじ５１とテーパー雄ねじ５２からなるテーパーねじによる螺合構造との２重のシール構造とすることによって、ガス漏れに対する安全性を向上することができる。
なお、本実施例の高圧容器のその他の構成及び作用は、上記第１実施例の高圧容器と同様である。
【００２４】
以上、本発明の高圧容器について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の高圧容器は、軸方向の耐力を得やすく、高圧充填に耐え、長期間に亘ってガス漏れが生じない構造であり、さらに、２重のシール構造とすることによって、ガス漏れに対する安全性を向上することができることから、消火剤ガスを充填、保管する高圧容器に好適に用いることができるほか、高圧ガスや液化ガス等を充填する、保管する高圧容器に広く用いることができる。
【符号の説明】
【００２６】
１  容器本体
１１  口金部
２  封止部材
３  軸力付与部
４１  平行雌ねじ
４２  平行雄ねじ
５１  テーパー雌ねじ
５２  テーパー雄ねじ
６  シール部材
【図１】
2018189099.tif 000003
【図２】
2018189099.tif 000004
【図３】
2018189099.tif 000005
【図４】
2018189099.tif 000006